【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
複数の遊技媒体を貯留する貯留手段と、
その貯留手段に連通され前記遊技媒体が流入する通路と、
その通路を前記遊技媒体が通過することを許容又は禁止する通過許容禁止手段と、
その通過許容禁止手段を作動させるアクチュエータと、
前記通路を通過させる遊技媒体の数を記憶する媒体数記憶手段と、
その媒体数記憶手段に記憶された数の遊技媒体が前記通路を通過するように、前記アクチュエータに駆動電圧を供給して前記アクチュエータの駆動を開始すると共に、前記アクチュエータの駆動を制御する駆動制御手段と、
その駆動制御手段により駆動を開始された前記アクチュエータへ供給される駆動電圧を、その駆動電圧より低い電圧であって前記アクチュエータの制御状態を維持できる電圧へ切替える電圧切替手段とを備えていることを特徴とする遊技機。
【請求項２】
前記アクチュエータの駆動開始からの時間を計時可能な駆動計時手段を備え、
前記電圧切替手段は、その駆動計時手段により所定時間以上計時された場合に、前記駆動制御手段により駆動を開始された前記アクチュエータの駆動電圧を、その駆動電圧より低い電圧であって前記アクチュエータの制御状態を維持できる電圧へ切替えるものであることを特徴とする請求項１に記載の遊技機。
【請求項３】
定期的に実行される定期制御手段と、
前記アクチュエータの稼働状況をカウント値によって記憶する稼働状況計測手段と、
前記定期制御手段の実行時に前記アクチュエータが稼働している場合には前記稼働状況計測手段から第１の所定値を減算する減算手段とを備え、
前記電圧切替手段は、前記稼働状況計測手段の値が第２の所定値以下となった場合に、前記駆動制御手段により駆動を開始された前記アクチュエータの駆動電圧を、その駆動電圧より低い電圧であって前記アクチュエータの制御状態を維持できる電圧へ切替えるものであることを特徴とする請求項１又は２に記載の遊技機。
【請求項４】
定期的に実行される定期制御手段と、
前記アクチュエータの稼働状況をカウント値によって記憶する稼働状況計測手段と、
前記定期制御手段の実行時に前記アクチュエータが稼働している場合には前記稼働状況計測手段へ第３の所定値を加算する加算手段とを備え、
前記電圧切替手段は、前記稼働状況計測手段の値が第４の所定値以上となった場合に、前記駆動制御手段により駆動を開始された前記アクチュエータの駆動電圧を、その駆動電圧より低い電圧であって前記アクチュエータの制御状態を維持できる電圧へ切替えるものであることを特徴とする請求項１又は２に記載の遊技機。
【手続補正２】
【補正対象書類名】明細書
【補正対象項目名】０００６
【補正方法】変更
【補正の内容】
【０００６】
この目的を達成するために請求項１記載の遊技機は、複数の遊技媒体を貯留する貯留手段と、その貯留手段に連通され前記遊技媒体が流入する通路と、その通路を前記遊技媒体が通過することを許容又は禁止する通過許容禁止手段と、その通過許容禁止手段を作動させるアクチュエータと、前記通路を通過させる遊技媒体の数を記憶する媒体数記憶手段と、その媒体数記憶手段に記憶された数の遊技媒体が前記通路を通過するように、前記アクチュエータに駆動電圧を供給して前記アクチュエータの駆動を開始すると共に、前記アクチュエータの駆動を制御する駆動制御手段と、その駆動制御手段により駆動を開始された前記アクチュエータへ供給される駆動電圧を、その駆動電圧より低い電圧であって前記アクチュエータの制御状態を維持できる電圧へ切替える電圧切替手段とを備えている。
【手続補正３】
【補正対象書類名】明細書
【補正対象項目名】０００７
【補正方法】変更
【補正の内容】
【０００７】
請求項２記載の遊技機は、請求項１記載の遊技機において、前記アクチュエータの駆動開始からの時間を計時可能な駆動計時手段を備え、前記電圧切替手段は、その駆動計時手段により所定時間以上計時された場合に、前記駆動制御手段により駆動を開始された前記アクチュエータの駆動電圧を、その駆動電圧より低い電圧であって前記アクチュエータの制御状態を維持できる電圧へ切替えるものである。
【手続補正４】
【補正対象書類名】明細書
【補正対象項目名】０００８
【補正方法】変更
【補正の内容】
【０００８】
請求項３記載の遊技機は、請求項１又は２に記載の遊技機において、定期的に実行される定期制御手段と、前記アクチュエータの稼働状況をカウント値によって記憶する稼働状況計測手段と、前記定期制御手段の実行時に前記アクチュエータが稼働している場合には前記稼働状況計測手段から第１の所定値を減算する減算手段とを備え、前記電圧切替手段は、前記稼働状況計測手段の値が第２の所定値以下となった場合に、前記駆動制御手段により駆動を開始された前記アクチュエータの駆動電圧を、その駆動電圧より低い電圧であって前記アクチュエータの制御状態を維持できる電圧へ切替えるものである。
【手続補正５】
【補正対象書類名】明細書
【補正対象項目名】０００９
【補正方法】変更
【補正の内容】
【０００９】
請求項４記載の遊技機は、請求項１又は２に記載の遊技機において、定期的に実行される定期制御手段と、前記アクチュエータの稼働状況をカウント値によって記憶する稼働状況計測手段と、前記定期制御手段の実行時に前記アクチュエータが稼働している場合には前記稼働状況計測手段へ第３の所定値を加算する加算手段とを備え、前記電圧切替手段は、前記稼働状況計測手段の値が第４の所定値以上となった場合に、前記駆動制御手段により駆動を開始された前記アクチュエータの駆動電圧を、その駆動電圧より低い電圧であって前記アクチュエータの制御状態を維持できる電圧へ切替えるものである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
請求項１記載の遊技機によれば、駆動制御手段によってアクチュエータに駆動電圧が供給され、アクチュエータの駆動制御が開始されると、その制御に応じて、通過許容禁止手段が作動し、貯留手段に貯留される複数の遊技媒体が通路を通過することが許容又は禁止される。遊技媒体の投入又は払い出しは、媒体数記憶手段に記憶された数の遊技媒体が通路を通過するように、駆動制御手段によってアクチュエータが制御されて行われる。
【手続補正１１】
【補正対象書類名】明細書
【補正対象項目名】００１５
【補正方法】変更
【補正の内容】
【００１５】
さて、アクチュエータの駆動が開始されると、アクチュエータに供給される駆動電圧は、電圧切替手段によって、アクチュエータの駆動開始時の電圧より低い電圧であって、アクチュエータの制御状態を維持できる電圧へ切替えられる。よって、アクチュエータを一定の駆動電圧で駆動し続ける場合に比べ、アクチュエータの発熱と消費電力とを抑制することができるという効果がある。
【手続補正１２】
【補正対象書類名】明細書
【補正対象項目名】００１６
【補正方法】変更
【補正の内容】
【００１６】
請求項２記載の遊技機によれば、請求項１記載の遊技機の奏する効果に加え、次の効果を奏する。アクチュエータは、駆動開始時には大きな駆動電圧を必要とするが、その後は、駆動開始時の駆動電圧より低い駆動電圧で駆動後の状態を維持できる。駆動計時手段により、アクチュエータの駆動開始からの時間が所定時間以上となったことが計時されると、電圧切替手段によって、駆動制御手段により駆動を開始されたアクチュエータの駆動電圧が、その駆動電圧より低い電圧であってアクチュエータの制御状態を維持できる電圧へ切替えられる。よって、アクチュエータの駆動に支障を来すことなく、即ちアクチュエータを所望の状態で駆動させつつ、アクチュエータの発熱と消費電力とを抑制することができるという効果がある。
【手続補正１３】
【補正対象書類名】明細書
【補正対象項目名】００１７
【補正方法】変更
【補正の内容】
【００１７】
請求項３記載の遊技機によれば、請求項１又は２に記載の遊技機の奏する効果に加え、次の効果を奏する。稼働状況計測手段は、アクチュエータの稼働状況をカウント値によって記憶するものであるが、定期的に実行される定期制御手段の実行時にアクチュエータが稼働している場合には、この稼働状況計測手段の値から、減算手段によって第１の所定値が減算される。減算の結果、稼働状況計測手段の値が第２の所定値以下となると、電圧切替手段は、駆動制御手段により駆動を開始されたアクチュエータの駆動電圧を、その駆動電圧より低い電圧であってアクチュエータの制御状態を維持できる電圧へ切替える。このように、アクチュエータの稼働状況を、稼働状況計測手段の値により監視し、その値に応じてアクチュエータの駆動電圧を切り替えることにより、アクチュエータを適正な状態で稼働させて、その発熱と消費電力とを抑制することができるという効果がある。なお、第２の所定値として、０を例示することができる。
【手続補正１４】
【補正対象書類名】明細書
【補正対象項目名】００１８
【補正方法】変更
【補正の内容】
【００１８】
請求項４記載の遊技機によれば、請求項１又は２に記載の遊技機の奏する効果に加え、次の効果を奏する。稼働状況計測手段は、アクチュエータの稼働状況をカウント値によって記憶するものであるが、定期的に実行される定期制御手段の実行時にアクチュエータが稼働している場合には、この稼働状況計測手段の値には、加算手段によって第３の所定値が加算される。加算の結果、稼働状況計測手段の値が第４の所定値以上となると、電圧切替手段は、駆動制御手段により駆動を開始されたアクチュエータの駆動電圧を、その駆動電圧より低い電圧であってアクチュエータの制御状態を維持できる電圧へ切替える。このように、アクチュエータの稼働状況を、稼働状況計測手段の値により監視し、その値に応じてアクチュエータの駆動電圧を切り替えることにより、アクチュエータを適正な状態で稼働させて、その発熱と消費電力とを抑制することができるという効果がある。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】０２５２
【補正方法】変更
【補正の内容】
【０２５２】
更に、パワーセーブ処理（Ｓ９１３）における投入ソレノイド５３４ａ〜５３４ｃの駆動電圧を、駆動開始時の電圧（本実施形態では＋３２ｖ）より低い電圧であって、投入ソレノイド５３４ａ〜５３４ｃの制御状態を維持できる電圧（本実施形態では＋１２ｖ）へ切替えるまでの時間は、必ずしも時間ｔ１（１００ｍｓ）に限定されるのではなく、ソレノイドやモータの種別、その他の状況に応じて適宜変更するようにしても良い。また、かかる時間ｔ１を、ソフトウエア制御によってではなく、ハードウエアによって、計時するように構成しても良い。更に、かかる時間ｔ１の計時は、投入ソレノイド稼働タイマ１１３ｔを減算して行ったが、必ずしもこれに限られるものではなく、例えば、該タイマ１１３ｔの値を加算して時間ｔ１を計時するようにしても良い。
以下に、本発明の遊技機に加えて、上述した各種実施形態に含まれる各種発明の概念を示す。
複数の遊技媒体を貯留する貯留手段と、その貯留手段に連通され前記遊技媒体が流入する通路と、その通路を前記遊技媒体が通過することを許容又は禁止する通過許容禁止手段と、その通過許容禁止手段を作動させるアクチュエータと、前記通路を通過させる遊技媒体の数を記憶する媒体数記憶手段と、その媒体数記憶手段に記憶された数の遊技媒体が前記通路を通過するように、前記アクチュエータに駆動電圧を供給して前記アクチュエータの駆動を開始すると共に、前記アクチュエータの駆動を制御する駆動制御手段と、その駆動制御手段により駆動を開始された前記アクチュエータへ供給される駆動電圧を、その駆動電圧より低い電圧であって前記アクチュエータの制御状態を維持できる電圧へ切替える電圧切替手段とを備えていることを特徴とする遊技機１。
遊技機１によれば、駆動制御手段によってアクチュエータに駆動電圧が供給され、アクチュエータの駆動制御が開始されると、その制御に応じて、通過許容禁止手段が作動し、貯留手段に貯留される複数の遊技媒体が通路を通過することが許容又は禁止される。遊技媒体の投入又は払い出しは、媒体数記憶手段に記憶された数の遊技媒体が通路を通過するように、駆動制御手段によってアクチュエータが制御されて行われる。
さて、アクチュエータの駆動が開始されると、アクチュエータに供給される駆動電圧は、電圧切替手段によって、アクチュエータの駆動開始時の電圧より低い電圧であって、アクチュエータの制御状態を維持できる電圧へ切替えられる。よって、アクチュエータを一定の駆動電圧で駆動し続ける場合に比べ、アクチュエータの発熱と消費電力とを抑制することができる。
遊技機１において、前記アクチュエータの駆動開始からの時間を計時可能な駆動計時手段を備え、前記電圧切替手段は、その駆動計時手段により所定時間以上計時された場合に、前記駆動制御手段により駆動を開始された前記アクチュエータの駆動電圧を、その駆動電圧より低い電圧であって前記アクチュエータの制御状態を維持できる電圧へ切替えるものであることを特徴とする遊技機２。
遊技機２によれば、アクチュエータは、駆動開始時には大きな駆動電圧を必要とするが、その後は、駆動開始時の駆動電圧より低い駆動電圧で駆動後の状態を維持できる。駆動計時手段により、アクチュエータの駆動開始からの時間が所定時間以上となったことが計時されると、電圧切替手段によって、駆動制御手段により駆動を開始されたアクチュエータの駆動電圧が、その駆動電圧より低い電圧であってアクチュエータの制御状態を維持できる電圧へ切替えられる。よって、アクチュエータの駆動に支障を来すことなく、即ちアクチュエータを所望の状態で駆動させつつ、アクチュエータの発熱と消費電力とを抑制することができる。
遊技機１又は２において、定期的に実行される定期制御手段と、前記アクチュエータの稼働状況をカウント値によって記憶する稼働状況計測手段と、前記定期制御手段の実行時に前記アクチュエータが稼働している場合には前記稼働状況計測手段から第１の所定値を減算する減算手段とを備え、前記電圧切替手段は、前記稼働状況計測手段の値が第２の所定値以下となった場合に、前記駆動制御手段により駆動を開始された前記アクチュエータの駆動電圧を、その駆動電圧より低い電圧であって前記アクチュエータの制御状態を維持できる電圧へ切替えるものであることを特徴とする遊技機３。
遊技機３によれば、稼働状況計測手段は、アクチュエータの稼働状況をカウント値によって記憶するものであるが、定期的に実行される定期制御手段の実行時にアクチュエータが稼働している場合には、この稼働状況計測手段の値から、減算手段によって第１の所定値が減算される。減算の結果、稼働状況計測手段の値が第２の所定値以下となると、電圧切替手段は、駆動制御手段により駆動を開始されたアクチュエータの駆動電圧を、その駆動電圧より低い電圧であってアクチュエータの制御状態を維持できる電圧へ切替える。このように、アクチュエータの稼働状況を、稼働状況計測手段の値により監視し、その値に応じてアクチュエータの駆動電圧を切り替えることにより、アクチュエータを適正な状態で稼働させて、その発熱と消費電力とを抑制することができる。なお、第２の所定値として、０を例示することができる。
遊技機１又は２において、定期的に実行される定期制御手段と、前記アクチュエータの稼働状況をカウント値によって記憶する稼働状況計測手段と、前記定期制御手段の実行時に前記アクチュエータが稼働している場合には前記稼働状況計測手段へ第３の所定値を加算する加算手段とを備え、前記電圧切替手段は、前記稼働状況計測手段の値が第４の所定値以上となった場合に、前記駆動制御手段により駆動を開始された前記アクチュエータの駆動電圧を、その駆動電圧より低い電圧であって前記アクチュエータの制御状態を維持できる電圧へ切替えるものであることを特徴とする遊技機４。
遊技機４によれば、稼働状況計測手段は、アクチュエータの稼働状況をカウント値によって記憶するものであるが、定期的に実行される定期制御手段の実行時にアクチュエータが稼働している場合には、この稼働状況計測手段の値には、加算手段によって第３の所定値が加算される。加算の結果、稼働状況計測手段の値が第４の所定値以上となると、電圧切替手段は、駆動制御手段により駆動を開始されたアクチュエータの駆動電圧を、その駆動電圧より低い電圧であってアクチュエータの制御状態を維持できる電圧へ切替える。このように、アクチュエータの稼働状況を、稼働状況計測手段の値により監視し、その値に応じてアクチュエータの駆動電圧を切り替えることにより、アクチュエータを適正な状態で稼働させて、その発熱と消費電力とを抑制することができる。
遊技機１から４のいずれかにおいて、前記電圧切替手段による前記アクチュエータの駆動電圧の切替えに用いられるスイッチは、電界効果トランジスタにより構成されていることを特徴とする遊技機５。
遊技機５によれば、アクチュエータの駆動電圧の切替えスイッチには、電界効果トランジスタが用いられているので、耐圧が高く、損傷し難いスイッチを実現することができ、更にはスイッチング時にスイッチ部分に流れる電流を最小限に抑えることができる。
遊技機１から５のいずれかにおいて、前記アクチュエータは、ソレノイドによって構成され、そのソレノイドを通電した場合に前記遊技媒体の通過が許容されるように前記通過許容禁止手段を作動させ、逆に、そのソレノイドの通電を解除した場合に前記遊技媒体の通過が禁止されるように前記通過許容禁止手段を作動させるものであることを特徴とする遊技機６。
遊技機６によれば、アクチュエータは、ソレノイドによって構成され、そのソレノイドを通電すると、遊技媒体の通過が許容されるように通過許容禁止手段が作動し、逆に、そのソレノイドの通電を解除すると、遊技媒体の通過が禁止されるように通過許容禁止手段が作動する。遊技媒体の投入や払い出しは、遊技の開始前または終了後に一時的に行われるものなので、遊技中や遊技者がおらず遊技機が放置された状態にある場合には、遊技媒体の投入や払い出しは行われない。かかる遊技中や放置中には、遊技媒体の通過は禁止状態にされているが、遊技媒体の通過を禁止する場合はソレノイドへの通電が不要に構成されるので、ソレノイドの発熱を抑制できる。
遊技機１から６のいずれかにおいて、遊技の開始に必要な遊技媒体の遊技機への投入を指示する投入指示手段と、その投入指示手段による投入指示に基づいて遊技機内へ投入された遊技媒体の返却を指示する返却指示手段とを備え、前記駆動制御手段は、前記投入指示手段による遊技媒体の投入指示に基づいて、前記媒体数記憶手段に記憶された数の遊技媒体が遊技機内へ投入されるように前記アクチュエータを駆動させるものであり、前記投入指示手段による遊技媒体の投入指示に基づいて遊技機内へ投入された数の遊技媒体を、前記返却指示手段による返却指示に基づいて遊技機外へ返却する返却手段を備えていることを特徴とする遊技機７。
遊技機７によれば、例えば、遊技者による異常操作によって、投入指示手段と返却指示手段とが交互に繰り返し操作され、投入指示と返却指示とが交互に繰り返されると、駆動制御手段によるアクチュエータの駆動と、返却手段との駆動が繰り返される。かかる場合、アクチュエータが必要以上に加熱し、破壊される危険がある。しかし、遊技機７によれば、電圧切替手段によって、駆動制御手段により駆動を開始されたアクチュエータへ供給される駆動電圧は、その駆動電圧より低い電圧であってアクチュエータの制御状態を維持できる電圧へ切替えられるので、アクチュエータの駆動が異常に繰り返された場合にも、アクチュエータを必要以上に加熱させることが無く、アクチュエータの破壊を防止することができる。
遊技機１から７のいずれかにおいて、前記駆動制御手段は、前記媒体数記憶手段に記憶された数の遊技媒体がすべて前記通路を通過した場合、或いは、遊技媒体が前記通路を通過した後、所定時間以上経過しても新たな遊技媒体が前記通路を通過しない場合に、前記アクチュエータへの駆動電圧の供給を終了して、そのアクチュエータの駆動を終了するものであることを特徴とする遊技機８。
遊技機８によれば、駆動制御手段は、媒体数記憶手段に記憶された数の遊技媒体がすべて通路を通過した場合、或いは、遊技媒体が通路を通過した後、所定時間以上経過しても新たな遊技媒体が通路を通過しない場合に、アクチュエータへの駆動電圧の供給を終了して、そのアクチュエータの駆動を終了する。よって、一旦駆動を開始したアクチュエータの駆動を、適切に終了させることができる。
【手続補正２０】
【補正対象書類名】明細書
【補正対象項目名】０２５４
【補正方法】変更
【補正の内容】
【０２５４】
１                      遊技球使用回胴遊技機（遊技機）
３５                    ベットスイッチ（投入指示手段）
３６                    上皿（貯留手段）
３８                    返却レバー（返却指示手段）
５２                    投入ユニット
１１３ｍ１〜１１３ｍ３  投入予定個数カウンタ（媒体数記憶手段）
１１３ｔ      投入ソレノイド稼働タイマ（駆動計時手段、稼働状況計測手段）
１１５ａ〜１１５ｃ      投入ソレノイドオンオフ回路
３７１〜３７３          案内通路（通路の一部）
５２１ａ〜５２１ｃ      投入装置
５２２ａ〜５２２ｃ      入口通路（通路の一部）
５２６ａ〜５２６ｃ      投入通路（通路の一部）
５２７ａ〜５２７ｃ      排出通路（通路の一部）
５３０ａ〜５３０ｃ      投入ゲート部材（通過許容禁止手段）
５３４ａ〜５３４ｃ      投入ソレノイド（アクチュエータ）
Ｓ８１３〜Ｓ８１９      駆動制御手段
Ｓ９５１〜Ｓ９７４      電圧切替手段
Ｓ９１３                パワーセーブ処理処理（定期制御手段）
Ｓ９５３，Ｓ９６３，Ｓ９７３  減算手段、稼働状況記憶手段の一部